(57)【要約】【課題】記録媒体の小型化も進んでおり、記録媒体を個体として特定する情報を記録媒体の外部に記載することも困難になってきた。【解決手段】記録再生装置５００は、電源が収納される収納部５１と、可搬型の記録媒体が挿入される挿入部５２と、固定型記録媒体５７と、可搬型の記録媒体が有する個体識別情報と固定型記録媒体５７に記録されている個体識別情報とが関連しているか否かを判断する識別情報判断部５８と、２個の個体識別情報が関連していない場合、可搬型の記録媒体に記録されている、その記録媒体を個体として特定するデータを再生する再生部５９と、電源が有する電力を識別情報判断部５８及び再生部５９に導く切替部５４とを有し、識別情報判断部５８及び再生部５９は電力が供給された場合に動作し、再生部５９は、２個の個体識別情報が関連している場合、前記データを再生しない。【選択図】図１１
2010282712.tif 000002
【特許請求の範囲】
【請求項１】
電源が収納される収納部と、
可搬型の記録媒体が挿入される挿入部と、
固定型の記録媒体と、
前記挿入部に挿入されている可搬型の記録媒体が有する個体識別情報と、前記固定型の記録媒体に記録されている個体識別情報とが関連しているか否かを判断する識別情報判断部と、
２個の個体識別情報が関連していないと前記識別情報判断部が判断した場合、前記挿入部に挿入されている記録媒体に記録されている、その記録媒体を個体として特定するデータを再生する再生部と、
電源が前記収納部に収納されている場合、その電源が有する電力を前記識別情報判断部及び前記再生部に導くための指示を受け付ける受付部と、
前記受付部が前記指示を受け付けた場合、前記電力を前記識別情報判断部及び前記再生部に導く切替部とを備え、
前記識別情報判断部及び前記再生部は、前記電力が供給された場合、動作し、
前記再生部は、２個の個体識別情報が関連していると前記識別情報判断部が判断した場合、前記データを再生しない
記録再生装置。
【請求項２】
更に、２個の個体識別情報が関連していないと前記識別情報判断部が判断した場合、前記挿入部に挿入されている可搬型の記録媒体が有する個体識別情報を前記固定型の記録媒体に記録する記録部を備える
請求項１に記載の記録再生装置。
【請求項３】
更に、
前記データが前記可搬型の記録媒体に記録されているか否かを判断するデータ存在判断部と、
前記データが前記可搬型の記録媒体に記録されていないと前記データ存在判断部が判断した場合、前記データの記録を要求する要求部と、
前記要求部が前記データの記録を要求した後に、前記データを取得する取得部と、
前記取得部が取得した前記データを前記可搬型の記録媒体に記録する記録部と
を備える請求項１に記載の記録再生装置。
【請求項４】
更に、
前記挿入部に挿入されている可搬型の記録媒体の個体識別情報を生成する個体識別情報生成部と、
前記個体識別情報生成部によって生成された個体識別情報を前記固定型の記録媒体に記録する第２記録部とを備え、
前記記録部は、前記個体識別情報生成部によって生成された個体識別情報をも前記挿入部に挿入されている可搬型の記録媒体に記録する
請求項３に記載の記録再生装置。
【請求項５】
更に、前記要求部が行った要求に対して前記データの記録を行わないことが選択された場合、前記固定型の記録媒体に記録されている個体識別情報を消去する消去部を備える
請求項３に記載の記録再生装置。
【請求項６】
更に、
可搬型の記録媒体が前記挿入部に存在しているか否かを判断する媒体存在判断部と、
可搬型の記録媒体が前記挿入部に存在していないと媒体存在判断部が判断した場合、前記固定型の記録媒体に記録されている個体識別情報を消去する消去部と
を備える請求項１に記載の記録再生装置。
【発明の詳細な説明】
【技術分野】
【０００１】
本発明は、音又は画像のデータの記録及び再生を行う記録再生装置に関する。
【背景技術】
【０００２】
従来から、楽器や語学の練習のためにテープレコーダやボイスレコーダ等の記録再生装置が利用されており、記録再生装置により扱われるデータは、メモリカード等の記録媒体に記録される。記録再生装置の筐体には、記録再生装置の所有者の氏名等の記録再生装置を個体として特定する情報が記載されることが多く、記録媒体を個体として特定する情報は記録媒体の外部に記載されることが多い。また、データを個体として特定するための、データの概要などの情報は紙等に別途記載しておくしかなかった。
【先行技術文献】
【特許文献】
【０００３】
【特許文献１】特開平６−３１８２０８号公報
【発明の概要】
【発明が解決しようとする課題】
【０００４】
近年、記録再生装置の小型化が進んでおり、記録再生装置を個体として特定する情報をその筐体に記載することが困難になってきた。同様に、記録媒体の小型化も進んでおり、記録媒体を個体として特定する情報を記録媒体の外部に記載することも困難になってきた。また、記録媒体に多数のデータが記録された場合、その個々のデータの概要について、ユーザが把握しておくことは困難であり、記録媒体に記録されるデータを個体として特定する情報を報知することが望まれていた。同様に、記録媒体に記録されるデータを分割するトラックマーク等の分割マークを個体として特定する情報を報知することが望まれていた。
【０００５】
本発明は、記録媒体を個体として特定する情報を報知する記録再生装置を提供することを目的とする。
【課題を解決するための手段】
【０００６】
上記課題を解決し上記目的を達成するために、本発明の記録再生装置は、電源が収納される収納部と、可搬型の記録媒体が挿入される挿入部と、固定型の記録媒体と、前記挿入部に挿入されている可搬型の記録媒体が有する個体識別情報と、前記固定型の記録媒体に記録されている個体識別情報とが関連しているか否かを判断する識別情報判断部と、２個の個体識別情報が関連していないと前記識別情報判断部が判断した場合、前記挿入部に挿入されている記録媒体に記録されている、その記録媒体を個体として特定するデータを再生する再生部と、電源が前記収納部に収納されている場合、その電源が有する電力を前記識別情報判断部及び前記再生部に導くための指示を受け付ける受付部と、前記受付部が前記指示を受け付けた場合、前記電力を前記識別情報判断部及び前記再生部に導く切替部とを備え、前記識別情報判断部及び前記再生部は、前記電力が供給された場合、動作し、前記再生部は、２個の個体識別情報が関連していると前記識別情報判断部が判断した場合、前記データを再生しない。
【発明の効果】
【０００７】
本発明は、記録媒体を個体として特定する情報を報知する記録再生装置を提供することができる。
【図面の簡単な説明】
【０００８】
【図１】実施の形態１の記録再生装置の構成図である。
【図２】実施の形態１の記録再生装置の動作の各ステップを示すフローチャートである。
【図３】実施の形態２の記録再生装置の構成図である。
【図４】実施の形態２の記録再生装置の動作の各ステップを示すフローチャートである。
【図５】実施の形態３の記録再生装置の構成図である。
【図６】実体データ等がフォルダに格納された状態で記録媒体に記録されている状況を示す図である。
【図７】実施の形態３の記録再生装置の動作の各ステップを示すフローチャートである。
【図８】実施の形態３における変形例の記録再生装置の構成図である。
【図９】実施の形態４の記録再生装置の構成図である。
【図１０】実施の形態４の記録再生装置の動作の各ステップを示すフローチャートである。
【図１１】実施の形態５の記録再生装置の構成図である。
【図１２】実施の形態５の記録再生装置の動作の各ステップを示すフローチャートである。
【図１３】実施の形態６の記録再生装置の構成図である。
【図１４】実施の形態６の記録再生装置の動作の各ステップを示すフローチャートである。
【図１５】第１の実体データと第２の実体データとが記録媒体に記録されている様子を模式的に示す図である。
【図１６】第１の実体データと第２の実体データとが実体データフォルダに格納されている状態を示す図である。
【図１７】第１の特定データと第２の特定データとが特定データフォルダに格納されている状態を示す図である。
【図１８】トラックマークと特定データとを対応付けるテーブルを示す図である。
【図１９】実施の形態６における変形例１の記録再生装置の構成図である。
【図２０】実施の形態６における変形例２の記録再生装置の構成図である。
【図２１】実施の形態６における変形例３の記録再生装置の構成図である。
【発明を実施するための形態】
【０００９】
以下に、本発明を実施するための形態を図面を参照して説明する。
【００１０】
（実施の形態１）
先ず、実施の形態１の記録再生装置１００の構成を図１を用いて説明する。図１は、実施の形態１の記録再生装置１００の構成図である。
【００１１】
実施の形態１の記録再生装置１００は、音のデータの記録及び再生を行う装置であって、図１に示すように、記録媒体１と、電源２と、切替部３と、検知部４と、判断部５と、再生部６と、要求部７と、選択部８と、取得部９と、記録部１０とを有する。
【００１２】
記録媒体１は、実施の形態１の記録再生装置１００を個体として特定するデータ（以下、「特定データｅ」という。）が記録される媒体である。特定データｅは、例えば、実施の形態１の記録再生装置１００の所有者の氏名の音のデータである。電源２は、実施の形態１の記録再生装置１００の各構成部に電力を供給する。切替部３は、例えばスイッチであって、電源２のオンとオフとを切り替える。検知部４は、電源２から実施の形態１の記録再生装置１００の各構成部への電力の供給が開始されたことを検知する。
【００１３】
判断部５は、特定データｅが記録媒体１に記録されているか否かを判断する。再生部６は、記録媒体１に記録されている特定データｅを再生する。要求部７は、特定データｅの記録を要求する。選択部８は、特定データｅの記録を行うか否かの選択を受け付ける。取得部９は、選択部８が特定データｅの記録を行う選択を受け付けた場合、特定データｅを取得し、選択部８が特定データｅの記録を行わない選択を受け付けた場合、特定データｅを取得しない。記録部１０は、取得部９が取得した特定データｅを記録媒体１に記録する。
【００１４】
次に、実施の形態１の記録再生装置１００の動作を図２を用いて説明する。図２は、実施の形態１の記録再生装置１００の動作の各ステップを示すフローチャートである。
【００１５】
ユーザが切替部３をオンすると、検知部４は、電源２から実施の形態１の記録再生装置１００の各構成部への電力の供給が開始されたことを検知する（Ｓ１）。そうすると、判断部５は、実施の形態１の記録再生装置１００を個体として特定する特定データｅが記録媒体１に記録されているか否かを判断する（Ｓ２）。特定データｅが記録媒体１に記録されていると判断部５が判断した場合（Ｓ２でＹｅｓ）、再生部６は、記録媒体１から特定データｅを取得して再生する（Ｓ３）。
【００１６】
これにより、特定データｅに対応する音が実施の形態１の記録再生装置１００の外部に出力される。すなわち、実施の形態１の記録再生装置１００は、筐体に記載されなくても、実施の形態１の記録再生装置１００を個体として特定する情報を装置の外部に音により報知することができる。
【００１７】
ところで、ステップＳ２において、特定データｅが記録媒体１に記録されていないと判断部５が判断した場合（Ｓ２でＮｏ）、要求部７は、音及び画像を用いて特定データｅの記録をユーザに要求する（Ｓ４）。選択部８は、要求部７が特定データｅの記録を要求した後に、特定データｅの記録を行うか否かの選択を受け付ける（Ｓ５）。
【００１８】
ユーザが特定データｅの記録を行うことを選択してその旨を選択部８に指示し（Ｓ５でＹｅｓ）、氏名等の実施の形態１の記録再生装置１００を個体として特定する情報を声に出して言うと、取得部９は、その音を取得し音のデータに変換して特定データｅを取得する（Ｓ６）。記録部１０は、取得部９が取得した特定データｅを記録媒体１に記録する（Ｓ７）。
【００１９】
これにより、次回に電源２がオンされて実施の形態１の記録再生装置１００の各構成部への電力の供給が開始されると、実施の形態１の記録再生装置１００は、自らを個体として特定する特定データｅを装置の外部に音により報知することができる。
【００２０】
なお、ステップＳ５において、ユーザが特定データｅの記録を行わないことを選択してその旨を選択部８に指示すると（Ｓ５でＮｏ）、実施の形態１の記録再生装置１００の本実施形態に係わる動作は終了する。
【００２１】
上述したように、実施の形態１の記録再生装置１００は、実施の形態１の記録再生装置１００を個体として特定する特定データｅが記録媒体１に記録されていれば、電源２がオンされたとき、特定データｅを自動的に再生し、特定データｅに対応する音を装置の外部に出力する。このように、実施の形態１の記録再生装置１００は、筐体に記載されなくても実施の形態１の記録再生装置１００を個体として特定する情報を音により装置の外部に報知することができる。特定データｅが実施の形態１の記録再生装置１００の所有者の氏名の音のデータであれば、ユーザは、電源２をオンするだけで、実施の形態１の記録再生装置１００が誰の所有物であるのかを音により判断することができる。
【００２２】
また、実施の形態１の記録再生装置１００は、特定データｅが記録媒体１に記録されていなければ、特定データｅの記録をユーザに要求する。それに対してユーザが特定データｅを入力すると、次回に電源２がオンされたとき、特定データｅが実施の形態１の記録再生装置１００の外部に報知されるという効果が得られる。
【００２３】
また、特定データｅを報知させたくないと考える場合、特定データｅの記録が要求されても、ユーザは、特定データｅの記録を行わないことを選択してその旨を選択部８に指示する。そうすると、次回に電源２がオンされても、実施の形態１の記録再生装置１００を個体として特定する情報は報知されることはない。例えば、実施の形態１の記録再生装置１００の所有者を明らかにしたくない場合、ユーザは、特定データｅの記録を要求されても、それに応じないことを選択すればよい。
【００２４】
（実施の形態２）
次に、実施の形態２の記録再生装置２００の構成を図３を用いて説明する。図３は、実施の形態２の記録再生装置２００の構成図である。
【００２５】
実施の形態２の記録再生装置２００は、音のデータの記録及び再生を行う装置であって、図３に示すように、挿入部１１と、検知部１２と、判断部１３と、再生部１４と、要求部１５と、選択部１６と、取得部１７と、記録部１８とを有する。
【００２６】
挿入部１１は、記録媒体Ａが挿入される。記録媒体Ａは、記録媒体Ａを個体として特定するデータ（以下、「特定データｍ」という。）が記録される例えばリムーバブルな媒体である。特定データｍは、例えば、実施の形態２の記録媒体Ａに記録されているデータの内容を示す音のデータである。検知部１２は、記録媒体Ａが挿入部１１に挿入されたことを検知する。判断部１３は、特定データｍが記録媒体Ａに記録されているか否かを判断する。
【００２７】
再生部１４は、記録媒体Ａに記録されている特定データｍを再生する。要求部１５は、特定データｍの記録を要求する。選択部１６は、要求部１５が特定データｍの記録を要求した後に、特定データｍの記録を行うか否かの選択を受け付ける。取得部１７は、選択部１６が特定データｍの記録を行う選択を受け付けた場合、特定データｍを取得し、選択部１６が特定データｍの記録を行わない選択を受け付けた場合、特定データｍを取得しない。記録部１８は、取得部１７が取得した特定データｍを記録媒体Ａに記録する。
【００２８】
次に、実施の形態２の記録再生装置２００の動作を図４を用いて説明する。図４は、実施の形態２の記録再生装置２００の動作の各ステップを示すフローチャートである。
【００２９】
ユーザが記録媒体Ａを挿入部１１に挿入すると、検知部１２は、記録媒体Ａが挿入部１１に挿入されたことを検知する（Ｓ１１）。そうすると、判断部１３は、記録媒体Ａを個体として特定する特定データｍが記録媒体Ａに記録されているか否かを判断する（Ｓ１２）。特定データｍが記録媒体Ａに記録されていると判断部１３が判断した場合（Ｓ１２でＹｅｓ）、再生部１４は、記録媒体Ａから特定データｍを取得して再生する（Ｓ１３）。
【００３０】
これにより、特定データｍに対応する音が実施の形態２の記録再生装置２００の外部に出力される。すなわち、実施の形態２の記録再生装置２００は、記録媒体Ａの外部に記載されなくても、記録媒体Ａを個体として特定する情報を音により報知することができる。
【００３１】
ところで、ステップＳ１２において、特定データｍが記録媒体Ａに記録されていないと判断部１３が判断した場合（Ｓ１２でＮｏ）、要求部１５は、音及び画像を用いて特定データｍの記録をユーザに要求する（Ｓ１４）。選択部１６は、要求部１５が特定データｍの記録を要求した後に、特定データｍの記録を行うか否かの選択を受け付ける（Ｓ１５）。
【００３２】
ユーザが特定データｍの記録を行うことを選択してその旨を選択部１６に指示し（Ｓ１５でＹｅｓ）、氏名等の記録媒体Ａを個体として特定する情報を声に出して言うと、取得部１７は、その音を取得し音のデータに変換して特定データｍを取得する（Ｓ１６）。記録部１８は、取得部１７が取得した特定データｍを記録媒体Ａに記録する（Ｓ１７）。
【００３３】
これにより、次回に記録媒体Ａが挿入部１１に挿入されると、実施の形態２の記録再生装置２００は、記録媒体Ａを個体として特定する特定データｍを報知することができる。
【００３４】
なお、ステップＳ１５において、ユーザが特定データｍの記録を行わないことを選択してその旨を選択部１６に指示すると（Ｓ１５でＮｏ）、実施の形態２の記録再生装置２００の本実施形態に係わる動作は終了する。
【００３５】
上述したように、実施の形態２の記録再生装置２００は、特定データｍが記録媒体Ａに記録されていれば、記録媒体Ａが挿入部１１に挿入されたとき、特定データｍを自動的に再生し、特定データｍに対応する音を装置の外部に出力する。このように、実施の形態２の記録再生装置２００は、記録媒体Ａを個体として特定する情報が記録媒体Ａの外部に記載されなくても、記録媒体Ａを個体として特定する情報を音により装置の外部に報知することができる。特定データｍが記録媒体Ａの所有者の氏名の音のデータであれば、ユーザは、記録媒体Ａを挿入部１１に挿入するだけで、記録媒体Ａが誰の所有物であるのかを音により判断することができる。
【００３６】
また、実施の形態２の記録再生装置２００は、特定データｍが記録媒体Ａに記録されていなければ、特定データｍの記録をユーザに要求する。それに対してユーザが特定データｍを入力すると、次回に記録媒体Ａが挿入部１１に挿入されたとき、特定データｍが実施の形態２の記録再生装置２００の外部に報知されるという効果が得られる。
【００３７】
また、特定データｍを報知させたくないと考える場合、特定データｍの記録が要求されても、ユーザは、特定データｍの記録を行わないことを選択してその旨を選択部１６に指示する。そうすると、次回に記録媒体Ａが挿入部１１に挿入されても、記録媒体Ａを個体として特定する情報は実施の形態２の記録再生装置２００の外部に報知されることはない。例えば、記録媒体Ａの所有者を明らかにしたくない場合、ユーザは、特定データｍの記録を要求されても、それに応じないことを選択すればよい。
【００３８】
なお、上述した実施の形態２では、検知部１２は、記録媒体Ａが挿入部１１に挿入されたことを検知する。しかしながら、検知部１２は、記録媒体Ａが挿入部１１に挿入された状態で記録媒体Ａの各構成部に電源（不図示）からの電力の供給が開始されたことを検知してもよい。
【００３９】
要するに、検知部１２は、特定データｍが記録される記録媒体Ａが使用される可能性があることを検知する。そして、判断部１３は、特定データｍが記録される記録媒体Ａが使用される可能性があることを検知部１２が検知した場合、特定データｍが記録媒体Ａに記録されているか否かを判断する。
【００４０】
また、記録媒体Ａが固有番号を持つ記録媒体であれば、特定データｍを記録再生装置２００に内蔵されている記録媒体１に記録するようにしてもよい。この場合、検知部１２が記録媒体Ａが使用される可能性があることを検知すると、再生部１４は、記録媒体Ａの固有番号を基に記録媒体１に記録されている特定データｍを再生する。また、判断部１３が、特定データｍが記録媒体１に記録されていないと判断した場合、記録部１８は、取得部１７が取得する特定データｍと記録媒体Ａの固有番号とを記録媒体１に記録する。記録媒体Ａが固有番号を持たない記録媒体であった場合、記録部１８は、記録媒体Ａを他の記録媒体と識別するための固有番号を記録媒体Ａに記録するようにしてもよい。
【００４１】
（実施の形態３）
次に、実施の形態３の記録再生装置３００の構成を図５を用いて説明する。図５は、実施の形態３の記録再生装置３００の構成図である。
【００４２】
実施の形態３の記録再生装置３００は、音のデータの記録及び再生を行う装置であって、図５に示すように、挿入部１１と、検知部２１と、判断部２２と、再生部２３と、要求部２４と、選択部２５と、取得部２６と、記録部２７とを有する。
【００４３】
挿入部１１は、記録媒体Ａが挿入される。記録媒体Ａは、会議や演奏会等の音のデータ（以下、「実体データａ」という。）が記録される例えばリムーバブルな媒体であって、図６に示すように、実体データａはフォルダｆに格納された状態で記録媒体Ａに記録されている。図６は、実体データａ等がフォルダｆに格納された状態で記録媒体Ａに記録されている状況を示す図である。
【００４４】
また、記録媒体Ａには、図６に示すように、フォルダｆを個体として特定するデータ（以下、「特定データｆｓ」という。）と、実体データａを個体として特定するデータ（以下、「特定データａｓ」という。）とが、フォルダｆに格納された状態で記録される。特定データｆｓは、例えばフォルダｆとファイルネームが同じで拡張子が異なるデータのように、フォルダｆに関連付けられてフォルダｆに格納される。また、実体データａ及び特定データａｓは、例えばファイルネームが同じで拡張子が異なるデータのように、相互に関連付けられてフォルダｆに格納される。また、特定データｆｓは例えばフォルダｆの概要を説明する音のデータであることが望ましく、特定データａｓは例えば実体データａの概要を説明する音のデータであることが望ましい。
【００４５】
検知部２１は、記録媒体Ａに記録されているフォルダｆ又は実体データａが選択されたことを検知する。例えば、図６において、カーソルによりフォルダｆ又は実体データａが選択された場合、検知部２１はその選択を検知する。判断部２２は、フォルダｆを個体として特定する特定データｆｓが記録媒体Ａに記録されているか否かを判断する。また、判断部２２は、実体データａを個体として特定する特定データａｓが記録媒体Ａに記録されているか否かを判断する。再生部２３は、特定データｆｓ及び特定データａｓを再生する。フォルダｆ又は実体データａの選択は、例えば、ユーザが図示しない操作部を操作することで行われる。
【００４６】
要求部２４は、特定データｆｓ及び特定データａｓの記録を要求する。選択部２５は、要求部２４が特定データｆｓの記録を要求した後に、特定データｆｓの記録を行うか否かの選択を受け付ける。また、選択部２５は、要求部２４が特定データａｓの記録を要求した後に、特定データａｓの記録を行うか否かの選択を受け付ける。
【００４７】
取得部２６は、選択部２５が特定データｆｓの記録を行う選択を受け付けた場合、特定データｆｓを取得し、選択部２５が特定データｆｓの記録を行わない選択を受け付けた場合、特定データｆｓを取得しない。また、取得部２６は、選択部２５が特定データａｓの記録を行う選択を受け付けた場合、特定データａｓを取得し、選択部２５が特定データａｓの記録を行わない選択を受け付けた場合、特定データａｓを取得しない。記録部２７は、取得部２６が取得した特定データｆｓ及び特定データａｓをフォルダｆに格納されるように記録媒体Ａに記録する。
【００４８】
次に、実施の形態３の記録再生装置３００の動作を図７を用いて説明する。図７は、実施の形態３の記録再生装置３００の動作の各ステップを示すフローチャートである。
【００４９】
ユーザが記録媒体Ａを挿入部１１に挿入し、記録媒体Ａに記録されている実体データａを選択すると、検知部２１は、記録媒体Ａに記録されている実体データａが選択されたことを検知する（Ｓ２１）。そうすると、判断部２２は、実体データａを個体として特定する特定データａｓが記録媒体Ａに記録されているか否かを判断する（Ｓ２２）。特定データａｓが記録媒体Ａに記録されていると判断部２２が判断した場合（Ｓ２２でＹｅｓ）、再生部２３は、実体データａを再生する前に、記録媒体Ａから特定データａｓを取得して再生する（Ｓ２３）。
【００５０】
これにより、特定データａｓに対応する音が実施の形態３の記録再生装置３００の外部に出力される。すなわち、実施の形態３の記録再生装置３００は、記録媒体Ａの外部に記載されなくても、実体データａを個体として特定する情報を音により報知することができる。
【００５１】
ところで、ステップＳ２２において、特定データａｓが記録媒体Ａに記録されていないと判断部２２が判断した場合（Ｓ２２でＮｏ）、要求部２４は、音及び画像を用いて特定データａｓの記録をユーザに要求する（Ｓ２４）。選択部２５は、要求部２４が特定データａｓの記録を要求した後に、特定データａｓの記録を行うか否かの選択を受け付ける（Ｓ２５）。
【００５２】
ユーザが特定データａｓの記録を行うことを選択してその旨を選択部２５に指示し（Ｓ２５でＹｅｓ）、実体データａの内容等の実体データａを個体として特定する情報を声に出して言うと、取得部２６は、その音を取得し音のデータに変換して特定データａｓを取得する（Ｓ２６）。記録部２７は、取得部２６が取得した特定データａｓをフォルダｆに格納されるように記録媒体Ａに記録する（Ｓ２７）。
【００５３】
これにより、次回に実体データａが選択されると、実施の形態３の記録再生装置３００は、実体データａを個体として特定する特定データａｓを報知することができる。
【００５４】
なお、ステップＳ２５において、ユーザが特定データａｓの記録を行わないことを選択してその旨を選択部２５に指示すると（Ｓ２５でＮｏ）、実施の形態３の記録再生装置３００の本実施形態に係わる動作は終了する。
【００５５】
上述したように、実施の形態３の記録再生装置３００は、実体データａを個体として特定する特定データａｓが記録媒体Ａに記録されていれば、実体データａが選択されたとき、実体データａを再生する前に自動的に特定データａｓを再生し、特定データａｓに対応する音を装置の外部に出力する。このように、実施の形態３の記録再生装置３００は、実体データａを個体として特定する情報が記録媒体Ａの外部に記載されなくても、実体データａを個体として特定する情報を音により装置の外部に報知することができる。
【００５６】
例えば、特定データａｓが、実体データａが最初から１０分から１５分までの期間が重要なデータであることを示すデータであれば、ユーザは、実体データａを選択するだけでその旨を判断することができ、実体データａの重要な部分のみを再生して聞くことができる。これにより、実体データａを再生するための時間を全体を再生する場合に比べて短くすることができる。また、例えば、特定データａｓが、実体データａが重要ではないデータであることを示すデータであれば、ユーザは、実体データａを選択するだけで実体データａが重要ではないと判断することができる。そのため、記録媒体Ａの記録容量が低下している場合、記録容量を増加させるために、中身を再生して聞かずに実体データａを削除することができる。また、ユーザが実体データａを削除した時に、記録部２７は、特定データａｓも消去するようにしてもよい。
【００５７】
また、実施の形態３の記録再生装置３００は、特定データａｓが記録媒体Ａに記録されていなければ、特定データａｓの記録をユーザに要求する。それに対してユーザが特定データａｓを入力すると、次回に実体データａが選択されたとき、特定データａｓが実施の形態３の記録再生装置３００の外部に報知されるという効果が得られる。
【００５８】
また、特定データａｓを報知させたくないと考える場合、特定データａｓの記録が要求されても、ユーザは、特定データａｓの記録を行わないことを選択してその旨を選択部２５に指示する。そうすると、次回に実体データａが選択されても、実体データａを個体として特定する情報は実施の形態３の記録再生装置３００の外部に報知されることはない。例えば、実体データａの内容を明らかにしたくない場合、ユーザは、特定データａｓの記録を要求されても、それに応じないことを選択すればよい。
【００５９】
なお、上述した実施の形態３では、実施の形態３の記録再生装置３００の動作を説明する際、検知部２１が記録媒体Ａに記録されている実体データａが選択されたことを検知する場合を述べた。しかしながら、検知部２１は、実体データａが格納されているフォルダｆが選択されたときにもそれを検知する。
【００６０】
フォルダｆが選択されたことを検知部２１が検知すると、判断部２２は、フォルダｆを個体として特定する特定データｆｓが記録媒体Ａに記録されているか否かを判断する。特定データｆｓが記録媒体Ａに記録されている場合、再生部２３は、記録媒体Ａから特定データｆｓを取得して再生する。このようにフォルダｆが選択された場合、図７を用いて説明した実施の形態３の記録再生装置３００の動作では、実体データａはフォルダｆに置き換えられ、特定データａｓは特定データｆｓに置き換えられる。このように、本明細書では、フォルダはデータの一例である。
【００６１】
また、特定データｆｓ又は特定データａｓの記録媒体Ａへの記録は、特定データｆｓが再生された後に行われてもよいし、実体データａのリピート再生区間が指定された後に行われてもよい。
【００６２】
また、記録媒体Ａが固有番号を持つ記録媒体であれば、特定データｆｓ及び特定データａｓを記録再生装置３００に内蔵されている記録媒体１に記録するようにしてもよい。この場合、検知部２１が、フォルダｆが選択されたことを検知すると、再生部２３は、固有番号を基に記録媒体１に記録されている特定データｆｓを再生する。検知部２１が、実体データａが選択されたことを検知すると、再生部２３は、固有番号を基に記録媒体１に記録されている特定データａｓを再生する。
【００６３】
また、判断部２２が、特定データが記録媒体１に記録されていないと判断した場合、記録部２７は、取得部２６が取得する特定データｆｓ及び特定データａｓを記録媒体Ａの固有番号とともに記録媒体１に記録する。記録媒体Ａが固有番号を持たない記録媒体であった場合、記録部２７は、記録媒体Ａを他の記録媒体と識別するための固有番号を記録媒体Ａに記録するようにしてもよい。
【００６４】
更に、記録再生装置は、特定データａｓ又は特定データｆｓを再生するための指示を受け付ける受付部２８を更に有していてもよい。図８は、受付部２８を有する実施の形態３における変形例の記録再生装置３０１の構成図である。記録再生装置３０１では、再生部２３は、特定データａｓが記録媒体Ａに記録されていると判断部２２が判断するとともに、受付部２８が特定データａｓを再生するための指示を受け付けた場合、記録媒体Ａ又は記録媒体１から特定データａｓを取得して再生する。また、記録再生装置３０１では、再生部２３は、特定データｆｓが記録媒体Ａに記録されていると判断部２２が判断するとともに、受付部２８が特定データｆｓを再生するための指示を受け付けた場合、記録媒体Ａ又は記録媒体１から特定データａｓを取得して再生する。
【００６５】
（実施の形態４）
次に、実施の形態４の記録再生装置４００の構成を図９を用いて説明する。図９は、実施の形態４の記録再生装置４００の構成図である。
【００６６】
実施の形態４の記録再生装置４００は、音のデータの記録及び再生を行う装置であって、図９に示すように、収納部４１と、挿入部４２と、切替部４３と、判断部４４と、再生部４５と、要求部４６と、選択部４７と、取得部４８と、記録部４９とを有する。
【００６７】
収納部４１は、電源Ｂが収納される。挿入部４２は、記録媒体Ｃが挿入される。記録媒体Ｃは、記録媒体Ｃを個体として特定するデータ（以下、「特定データＭ」という。）が記録される可搬型の媒体である。特定データＭは、例えば、記録媒体Ｃの所有者の氏名の音のデータである。
【００６８】
切替部４３は、電源Ｂが収納部４１に収納されている場合、収納部４１、挿入部４２、及び切替部４３を除く記録再生装置４００の各構成部へ電源Ｂの電力が供給される状態と供給されない状態とを切り替える。具体的に説明すると、切替部４３は、機械的なスイッチであって、電源Ｂが収納部４１に収納されている状態で、記録媒体Ｃが挿入部４２に挿入されて記録媒体Ｃにより押圧されると、電源Ｂの電力の記録再生装置４００の各構成部への供給を開始する。また、電源Ｂが収納部４１に収納されている状態で、記録媒体Ｃが挿入部４２から取り除かれて記録媒体Ｃにより押圧されなくなると、切替部４３は、電源Ｂの電力の記録再生装置４００の各構成部への供給を停止する。
【００６９】
判断部４４は、特定データＭが記録媒体Ｃに記録されているか否かを判断する。再生部４５は、記録媒体Ｃに記録されている特定データＭを再生する。要求部４６は、特定データＭの記録を要求する。選択部４７は、要求部４６が特定データＭの記録を要求した後に、特定データＭの記録を行うか否かの選択を受け付ける。取得部４８は、選択部４７が特定データＭの記録を行う選択を受け付けた場合、特定データＭを取得し、選択部４７が特定データＭの記録を行わない選択を受け付けた場合、特定データＭを取得しない。記録部４９は、取得部４８が取得した特定データＭを記録媒体Ｃに記録する。
【００７０】
次に、実施の形態４の記録再生装置４００の動作を図１０を用いて説明する。図１０は、実施の形態４の記録再生装置４００の動作の各ステップを示すフローチャートである。
【００７１】
今、電源Ｂは収納部４１に収納されているが、記録媒体Ｃは挿入部４２に挿入されておらず、電源Ｂの電力が記録再生装置４００の各構成部に供給されていない状態を想定する。すなわち、電源Ｂがオフである状態を想定する。その状態で、ユーザが記録媒体Ｃを挿入部４２に挿入すると（Ｓ３１）、切替部４３は、電源Ｂの電力の記録再生装置４００の各構成部への供給を開始する（Ｓ３２）。
【００７２】
そうすると、判断部４４は、記録媒体Ｃを個体として特定する特定データＭが記録媒体Ｃに記録されているか否かを判断する（Ｓ３３）。特定データＭが記録媒体Ｃに記録されていると判断部４４が判断した場合（Ｓ３３でＹｅｓ）、再生部４５は、記録媒体Ｃから特定データＭを取得して再生する（Ｓ３４）。これにより、特定データＭに対応する音が記録再生装置４００の外部に出力される。
【００７３】
このように、実施の形態４の記録再生装置４００は、記録媒体Ｃが挿入部４２に挿入されておらず電源Ｂがオフである場合、記録媒体Ｃが挿入部４２に挿入されると、電源Ｂをオフからオンに変化させる。特定データＭが記録媒体Ｃに記録されていれば、電源Ｂがオフからオンに変化すると、記録再生装置４００は、特定データＭに対応する情報、つまり記録媒体Ｃを個体として特定する情報を音により報知する。これにより、ユーザは、記録媒体Ｃを挿入部４２に挿入するだけでオフの状態の電源Ｂをオンの状態に変化させることができるとともに、特定データＭが記録媒体Ｃに記録されていれば、記録媒体Ｃを個体として特定する情報を音により知ることができる。
【００７４】
ところで、ステップＳ３３において、特定データＭが記録媒体Ｃに記録されていないと判断部４４が判断した場合（Ｓ３３でＮｏ）、要求部４６は、音及び画像を用いて特定データＭの記録をユーザに要求する（Ｓ３５）。選択部４７は、要求部４６が特定データＭの記録を要求した後に、特定データＭの記録を行うか否かの選択を受け付ける（Ｓ３６）。
【００７５】
ユーザが特定データＭの記録を行うことを選択してその旨を選択部４７に指示し（Ｓ３６でＹｅｓ）、記録媒体Ｃの所有者の氏名等の記録媒体Ｃを個体として特定する情報を声に出して言うと、取得部４８は、その音を取得し音のデータに変換して特定データＭを取得する（Ｓ３７）。記録部４９は、取得部４８が取得した特定データＭを記録媒体Ｃに記録する（Ｓ３８）。
【００７６】
これにより、挿入部４２に挿入されている記録媒体Ｃが挿入部４２から取り除かれて電源Ｂがオンからオフに変化した後に、記録媒体Ｃが挿入部４２に再び挿入されると、電源Ｂがオフからオンに再び変化し、記録再生装置４００は、記録媒体Ｃを個体として特定する情報を報知することができる。
【００７７】
なお、ステップＳ３６において、ユーザが特定データＭの記録を行わないことを選択してその旨を選択部４７に指示すると（Ｓ３６でＮｏ）、記録再生装置４００の動作は終了する。
【００７８】
上述したように、実施の形態４の記録再生装置４００では、記録媒体Ｃが挿入部４２に挿入されておらず電源Ｂがオフである場合、記録媒体Ｃが挿入部４２に挿入されると、電源Ｂの電力が記録再生装置４００の各構成部へ供給される。そのとき、特定データＭが記録媒体Ｃに記録されていれば、記録再生装置４００は、特定データＭを再生し、特定データＭに対応する音を装置の外部に出力する。すなわち、記録再生装置４００は、記録媒体Ｃが挿入部４２に挿入されたことを契機として、オフの状態の電源Ｂをオンの状態に変化させ、特定データＭを再生して記録媒体Ｃを個体として特定する情報を音により装置の外部に出力する。
【００７９】
これにより、ユーザは、記録媒体Ｃを挿入部４２に挿入するだけで、オフの状態の電源Ｂをオンの状態に変化させることができるとともに、記録媒体Ｃを個体として特定する情報を音により知ることができる。また、ユーザは、必要な場合のみ記録媒体Ｃを挿入部４２に挿入することにより、記録再生装置４００における電力の消費を抑えることができる。
【００８０】
また、記録再生装置４００は、特定データＭが記録媒体Ｃに記録されていなければ、特定データＭの記録をユーザに要求する。それに対してユーザが記録媒体Ｃを個体として特定する情報を声に出して言うと、ユーザは、電源Ｂがオフのときに記録媒体Ｃを挿入部４２に挿入するだけで、記録媒体Ｃを個体として特定する情報を音により知ることができる。
【００８１】
逆に、記録媒体Ｃを個体として特定する情報を報知させたくないと考える場合、特定データＭの記録が要求されても、ユーザは、特定データＭの記録を行わないことを選択してその旨を選択部４７に指示すればよい。そうすると、次回に記録媒体Ｃが挿入部４２に挿入されても、記録媒体Ｃを個体として特定する情報は記録再生装置４００の外部に報知されることはない。例えば、記録媒体Ｃの所有者を明らかにしたくない場合、ユーザは、特定データＭの記録を要求されても、それに応じないことを選択すればよい。
【００８２】
なお、上述した実施の形態４では、切替部４３は機械的なスイッチであると説明したが、切替部４３は機械的なスイッチであるとは限定されない。例えば、切替部４３は、記録媒体Ｃが挿入部４２に挿入されたことを検知する機能を有しており、電源Ｂの電力が常に供給されていて、記録媒体Ｃが挿入部４２に挿入されたことを検知したとき、記録再生装置４００の各構成部に電源Ｂの電力が供給されるように構成されていてもよい。いずれにしても、切替部４３は、電源Ｂが収納部４１に収納されている状態で、記録媒体Ｃが挿入部４２に挿入されると、電源Ｂの電力の記録再生装置４００の各構成部への供給を開始する。また、電源Ｂが収納部４１に収納されている状態で、記録媒体Ｃが挿入部４２から取り除かれると、切替部４３は、電源Ｂの電力の記録再生装置４００の各構成部への供給を停止する。
【００８３】
また、上述した実施の形態４では、記録再生装置４００は、記録媒体Ｃが挿入部４２に挿入されるとオフである状態の電源Ｂをオンさせる。しかしながら、記録再生装置４００は、電源Ｂのオンとオフとを切り替えるための指示を受け付ける受付部を有していてもよい。その場合、その受付部が、電源Ｂがオンであって記録媒体Ｃが挿入部４２に挿入されている状態で電源Ｂをオフさせる指示を受け付けたとき、記録媒体Ｃが挿入部４２に挿入されていても、オンの状態の電源Ｂはオフの状態に変化する。また、記録再生装置４００は、電源Ｂがオフであって記録媒体Ｃが挿入部４２に挿入されている状態で記録媒体Ｃが挿入部４２から取り除かれた場合、電源Ｂをオンに変化させてもよい。更に、記録再生装置４００は、電源Ｂがオフであって記録媒体Ｃが挿入部４２に挿入されている状態で記録媒体Ｃが挿入部４２から取り除かれた場合、記録媒体Ｃが挿入部４２から取り除かれたことを記録するメモリを有していてもよい。
【００８４】
（実施の形態５）
次に、実施の形態５の記録再生装置５００の構成を図１１を用いて説明する。図１１は、実施の形態５の記録再生装置５００の構成図である。
【００８５】
実施の形態５の記録再生装置５００は、音のデータの記録及び再生を行う装置であって、図１１に示すように、収納部５１と、挿入部５２と、受付部５３と、切替部５４と、媒体存在判断部５５と、データ存在判断部５６と、固定型記録媒体５７と、識別情報判断部５８と、再生部５９と、記録／消去部６０と、要求部６１と、選択部６２と、取得部６３と、個体識別情報生成部６４と、記録部６５とを有する。
【００８６】
収納部５１は、電源Ｄが収納される。挿入部５２は、可搬型の記録媒体Ｅが挿入される。可搬型の記録媒体Ｅは、可搬型の記録媒体Ｅを個体として特定するデータ（以下、「特定データＸ」という。）が記録される媒体である。特定データＸは、例えば、可搬型の記録媒体Ｅの所有者の氏名の音のデータである。可搬型の記録媒体Ｅは、特定データＸを個体として識別することができる情報（以下、「個体識別情報」という。）も記録される。受付部５３は、ユーザから、記録再生装置５００の各構成部への電力の供給を開始するための指示を受け付けるとともに、各構成部への電力の供給を停止するための指示を受け付ける。受付部５３は、例えば、スイッチ又はボタンである。
【００８７】
切替部５４は、電源Ｄが収納部５１に収納されている場合、収納部５１、挿入部５２、受付部５３、及び切替部５４を除く記録再生装置５００の各構成部へ電源Ｄの電力が供給される状態と供給されない状態とを切り替える。具体的に説明すると、切替部５４は、電源Ｄが収納部５１に収納されていて、記録再生装置５００のいずれの構成部へも電力が供給されていない状態で、受付部５３が記録再生装置５００の各構成部への電力の供給を開始するための指示を受け付けると、電源Ｄの電力の記録再生装置５００の各構成部への供給を開始する。また、切替部５４は、電源Ｄが収納部５１に収納されていて、記録再生装置５００の各構成部へ電力が供給されている状態で、受付部５３が記録再生装置５００の各構成部への電力の供給を停止するための指示を受け付けると、電源Ｄの電力の記録再生装置５００の各構成部への供給を停止する。
【００８８】
媒体存在判断部５５は、可搬型の記録媒体Ｅが挿入部５２に存在しているか否かを判断する。データ存在判断部５６は、特定データＸが可搬型の記録媒体Ｅに記録されているか否かを判断する。固定型記録媒体５７は、記録再生装置５００の内部に設けられる固定型の記録媒体である。固定型記録媒体５７には、いずれかの可搬型の記録媒体についての個体識別情報が記録される。
【００８９】
識別情報判断部５８は、挿入部５２に挿入されている可搬型の記録媒体Ｅに記録されている個体識別情報と、固定型記録媒体５７に記録されている個体識別情報とが一致しているか否かを判断する。再生部５９は、挿入部５２に挿入されている可搬型の記録媒体Ｅに記録されている特定データＸを再生する。
【００９０】
記録／消去部６０は、２個の個体識別情報が一致していないと識別情報判断部５８が判断した場合、固定型記録媒体５７に記録されている個体識別情報を消去し、挿入部５２に挿入されている可搬型の記録媒体Ｅに記録されている個体識別情報を固定型記録媒体５７に記録する。また、記録／消去部６０は、電源Ｄがオンであって、挿入部５２に挿入されている可搬型の記録媒体Ｅが取り除かれた場合、固定型記録媒体５７に記録されている個体識別情報を消去する。また、記録／消去部６０は、電源Ｄがオンであって、可搬型の記録媒体Ｅが挿入部５２に新たに挿入された場合、挿入された可搬型の記録媒体Ｅの個体識別情報を固定型記録媒体５７に記録する。また、記録／消去部６０は、可搬型の記録媒体Ｅが挿入部５２に存在していないと媒体存在判断部５５が判断した場合、固定型記録媒体５７に記録されている個体識別情報を消去する。
【００９１】
要求部６１は、特定データＸの記録を要求する。選択部６２は、要求部６１が特定データＸの記録を要求した後に、特定データＸの記録を行うか否かの選択を受け付ける。取得部６３は、選択部６２が特定データＸの記録を行う選択を受け付けた場合、特定データＸを取得し、選択部６２が特定データＸの記録を行わない選択を受け付けた場合、特定データＸを取得しない。個体識別情報生成部６４は、挿入部５２に挿入されている可搬型の記録媒体Ｅの個体識別情報を生成する。記録部６５は、取得部６３が取得した特定データＸを可搬型の記録媒体Ｅに記録する。
【００９２】
次に、実施の形態５の記録再生装置５００の動作を図１２を用いて説明する。図１２は、実施の形態５の記録再生装置５００の動作の各ステップを示すフローチャートである。
【００９３】
今、電源Ｄは収納部５１に収納されているが、記録再生装置５００のいずれの構成部にも電力が供給されていない状態を想定する。すなわち、電源Ｄがオフである状態を想定する。その状態で、ユーザが記録再生装置５００の各構成部への電力の供給を開始するための指示を受付部５３に対して行うと、切替部５４は、収納部５１、挿入部５２、受付部５３、及び切替部５４を除く記録再生装置５００の各構成部への電源Ｄの電力の供給を開始する（Ｓ４１）。
【００９４】
そうすると、媒体存在判断部５５は、可搬型の記録媒体Ｅが挿入部５２に存在しているか否かを判断する（Ｓ４２）。つまり、媒体存在判断部５５は、可搬型の記録媒体Ｅが挿入部５２に挿入されているか否かを判断する（Ｓ４２）。可搬型の記録媒体Ｅが挿入部５２に存在していると媒体存在判断部５５が判断した場合（Ｓ４２でＹｅｓ）、データ存在判断部５６は、特定データＸが挿入部５２に挿入されている可搬型の記録媒体Ｅに記録されているか否かを判断する（Ｓ４３）。
【００９５】
特定データＸが可搬型の記録媒体Ｅに記録されているとデータ存在判断部５６が判断した場合（Ｓ４３でＹｅｓ）、識別情報判断部５８は、挿入部５２に挿入されている可搬型の記録媒体Ｅに記録されている個体識別情報を取得するとともに、固定型記録媒体５７に記録されている個体識別情報を取得し、取得した２個の個体識別情報が一致しているか否かを判断する（Ｓ４４）。２個の個体識別情報が一致していると識別情報判断部５８が判断した場合（Ｓ４４でＹｅｓ）、記録再生装置５００の動作は終了する。
【００９６】
このように、挿入部５２に挿入されている可搬型の記録媒体Ｅに記録されている個体識別情報と、固定型記録媒体５７に記録されている個体識別情報とが一致している場合（Ｓ４４でＹｅｓ）、記録再生装置５００は、可搬型の記録媒体Ｅに記録されている特定データＸに対応する音を装置の外部に出力しない。すなわち、電源Ｄが前回オンの状態からオフに変化し更にオンに変化した後も、挿入部５２に挿入されている可搬型の記録媒体Ｅに記録されている特定データＸが変化していない場合、記録再生装置５００は、特定データＸに対応する音を装置の外部に出力しない。
【００９７】
これにより、ユーザは、電源Ｄが前回オンの状態からオフに変化し更にオンに変化した後も同じ可搬型の記録媒体Ｅが挿入部５２に挿入されており、かつ特定データＸが変化していないことを知ることができる。また、変化していない特定データＸに対応する音、すなわち可搬型の記録媒体Ｅを個体として特定する情報をユーザに繰り返し聞かせる、という事態を回避することができる。
【００９８】
ところで、ステップＳ４４において、２個の個体識別情報が一致していないと識別情報判断部５８が判断した場合（Ｓ４４でＮｏ）、再生部５９は、挿入部５２に挿入されている可搬型の記録媒体Ｅに記録されている特定データＸを再生する（Ｓ４５）。記録／消去部６０は、固定型記録媒体５７に記録されている個体識別情報を消去し、挿入部５２に挿入されている可搬型の記録媒体Ｅに記録されている個体識別情報を固定型記録媒体５７に記録する（Ｓ４６）。
【００９９】
これにより、記録再生装置５００は、電源Ｄがオンしたとき、挿入部５２に挿入されている可搬型の記録媒体の特定データが、電源Ｄが前回オンしたときから変化したことをユーザに報知することができる。したがって、例えば、特定データが可搬型の記録媒体の所有者の氏名の音のデータであれば、ユーザは、挿入部５２に挿入されている可搬型の記録媒体が、電源Ｄがオフのときに入れ替えられたことを推定することができる。
【０１００】
なお、ステップＳ４４における２個の個体識別情報が一致していない場合には、挿入部５２に挿入されている可搬型の記録媒体Ｅに個体識別情報が記録されていない場合と、固定型記録媒体５７に個体識別情報が記録されていない場合とが含まれる。
【０１０１】
挿入部５２に挿入されている可搬型の記録媒体Ｅに個体識別情報が記録されていない場合、個体識別情報生成部６４は、挿入部５２に挿入されている可搬型の記録媒体Ｅの個体識別情報を生成する。記録／消去部６０は、固定型記録媒体５７に記録されている個体識別情報を消去し、個体識別情報生成部６４によって生成された個体識別情報を固定型記録媒体５７に記録する（Ｓ４６）。それとともに、記録部６５は、個体識別情報生成部６４によって生成された個体識別情報を挿入部５２に挿入されている可搬型の記録媒体Ｅに記録する。他方、固定型記録媒体５７に個体識別情報が記録されていない場合、記録／消去部６０は、消去動作を行うことなく、挿入部５２に挿入されている可搬型の記録媒体Ｅに記録されている個体識別情報、又は個体識別情報生成部６４によって生成された個体識別情報を固定型記録媒体５７に記録する（Ｓ４６）。
【０１０２】
また、ステップＳ４３において、特定データＸが挿入部５２に挿入されている可搬型の記録媒体Ｅに記録されていないとデータ存在判断部５６が判断した場合（Ｓ４３でＮｏ）、要求部６１は、音及び画像を用いて特定データＸの記録をユーザに要求する（Ｓ４７）。選択部６２は、要求部６１が特定データＸの記録を要求した後に、特定データＸの記録を行うか否かの選択を受け付ける（Ｓ４８）。
【０１０３】
ユーザが特定データＸの記録を行うことを選択してその旨を選択部６２に指示し（Ｓ４８でＹｅｓ）、挿入部５２に挿入されている可搬型の記録媒体Ｅを個体として特定する情報を声に出して言うと、取得部６３は、その音を取得し音のデータに変換して特定データＸを取得する（Ｓ４９）。個体識別情報生成部６４は、挿入部５２に挿入されている可搬型の記録媒体Ｅの個体識別情報を生成する（Ｓ５０）。
【０１０４】
記録部６５は、取得部６３によって取得された特定データＸと、個体識別情報生成部６４によって生成された個体識別情報とを、挿入部５２に挿入されている可搬型の記録媒体Ｅに記録する（Ｓ５１）。記録／消去部６０は、個体識別情報生成部６４によって生成された個体識別情報を固定型記録媒体５７に記録する（Ｓ５２）。その際、固定型記録媒体５７に個体識別情報が既に記録されていれば、記録／消去部６０は、固定型記録媒体５７に既に記録されている個体識別情報を消去する。
【０１０５】
これにより、電源Ｄが次回オンしたとき、電源Ｄが前回オンであるときから挿入部５２に挿入されている可搬型の記録媒体に記録されている個体識別情報が変化していなければ、その可搬型の記録媒体を個体として特定する情報は記録再生装置５００の外部に報知させないという効果が得られる。
【０１０６】
また、ステップＳ４８において、ユーザが特定データＸの記録を行わないことを選択してその旨を選択部６２に指示すると（Ｓ４８でＮｏ）、記録／消去部６０は、固定型記録媒体５７に記録されている個体識別情報を消去する（Ｓ５３）。
【０１０７】
また、ステップＳ４２において、可搬型の記録媒体Ｅが挿入部５２に挿入されていないと媒体存在判断部５５が判断した場合（Ｓ４２でＮｏ）、記録／消去部６０は、固定型記録媒体５７に記録されている個体識別情報を消去する（Ｓ５４）。
【０１０８】
上述したように、実施の形態５の記録再生装置５００は、挿入部５２に挿入されている可搬型の記録媒体Ｅに記録されている個体識別情報と、装置内部の固定型記録媒体５７に記録されている個体識別情報とが一致している場合、可搬型の記録媒体Ｅに記録されている特定データＸに対応する音を装置の外部に出力しない。
【０１０９】
これにより、挿入部５２に挿入されている可搬型の記録媒体Ｅに記録されている特定データＸが、電源Ｄが前回オンのときからオフに変化し更にオンに変化した後も変化していなければ、ユーザは、特定データＸに対応する音を繰り返して聞かなくて済むという効果が得られる。
【０１１０】
なお、上述した実施の形態では、識別情報判断部５８は、挿入部５２に挿入されている可搬型の記録媒体Ｅに記録されている個体識別情報と、固定型記録媒体５７に記録されている個体識別情報とが一致しているか否かを判断する。しかしながら、識別情報判断部５８は、２個の個体識別情報が関連しているか否かを判断してもよい。例えば、２個の個体識別情報の一部が一致している場合、識別情報判断部５８は、２個の個体識別情報が関連していると判断してもよい。その場合、２個の個体識別情報が関連していないときのみ、再生部５９は、特定データＸを再生する。
【０１１１】
また、個体識別情報は、特定データＸとは別に音等の実体データが可搬型の記録媒体に記録されている場合のＦＡＴ（Ｆｉｌｅ  Ａｌｌｏｃａｔｉｏｎ  Ｔａｂｌｅ）のチェックサム、又は、実体データ若しくは特定データＸの最終記録時の時刻であってもよい。個体識別情報がＦＡＴである場合、記録再生装置５００は、ＦＡＴを算出する構成部を有する。また、個体識別情報が実体データ又は特定データＸの最終記録時の時刻である場合、記録再生装置５００は、時計を有する。いずれにしても、個体識別情報は、可搬型の記録媒体に記録される特定データＸを個体として識別することができる情報であればよい。
【０１１２】
また、上述した実施の形態５では、電源Ｄがオンしたとき、記録再生装置５００が、挿入部５２に挿入されている可搬型の記録媒体の特定データＸが、電源Ｄが前回オンしたときから変化したか否かを報知する場合を説明した。それは、個体識別情報が、可搬型の記録媒体に記録される特定データＸを個体として識別することができる情報であるので実現する。
【０１１３】
しかしながら、個体識別情報は、それが記録される可搬型の記録媒体を個体として識別することができる情報であってもよい。その場合、記録再生装置５００は、電源Ｄがオンしたとき、挿入部５２に挿入されている可搬型の記録媒体が、電源Ｄが前回オンしたときから変化したか否かをユーザに報知することができる。その場合の個体識別情報は、それが記録される可搬型の記録媒体の製造時にその媒体に付与される製造番号であってもよい。
【０１１４】
（実施の形態６）
次に、実施の形態６の記録再生装置６００の構成を図１３を用いて説明する。図１３は、実施の形態６の記録再生装置６００の構成図である。
【０１１５】
実施の形態６の記録再生装置６００は、音のデータの記録及び再生を行う装置であって、図１３に示すように、挿入部７１と、受付部７２と、検出部７３と、判断部７４と、再生部７５と、要求部７６と、選択部７７と、取得部７８と、記録部７９とを有する。
【０１１６】
挿入部７１は、記録媒体Ｆが挿入される。記録媒体Ｆは、会議や演奏会等の音のデータ（以下、「実体データｂ」という。）と、実体データｂについてのトラックマークｔとが記録される可搬型の媒体である。トラックマークｔは、実体データｂを分割するマークである。また、記録媒体Ｆには、トラックマークｔを個体として特定するデータ（以下、「特定データＴ」という。）が記録される。特定データＴは、例えば、トラックマークｔ以降の実体データｂの内容を説明する音のデータである。
【０１１７】
実体データｂと、トラックマークｔと、特定データＴとは、相互に関連付けられて記録媒体Ｆに記録される。例えば、それらは、ファイルネームの全部又は一部が同じで拡張子が異なるデータのように、相互に関連付けられて記録媒体Ｆに記録される。より具体的には、例えば、実体データｂのファイル名が「ＴＲＡＣＫ＿Ａ．ＭＰ３」であって、トラックマークｔが実体データｂを先頭から１００秒の位置で分割するマークである場合、特定データＴのファイル名として「ＴＲＡＣＫ＿Ａ１００．ＸＸＸ」が付与される。
【０１１８】
受付部７２は、実体データｂについてのトラックマークｔを検出させる指示をユーザから受け付ける。検出部７３は、記録媒体Ｆに記録されているトラックマークｔを検出する。判断部７４は、特定データＴが記録媒体Ｆに記録されているか否かを判断する。再生部７５は、記録媒体Ｆに記録されている特定データＴを再生する。
【０１１９】
要求部７６は、特定データＴの記録を要求する。選択部７７は、要求部７６が特定データＴの記録を要求した後に、特定データＴの記録を行うか否かの選択を受け付ける。取得部７８は、選択部７７が特定データＴの記録を行う選択を受け付けた場合、特定データＴを取得し、選択部７７が特定データＴの記録を行わない選択を受け付けた場合、特定データＴを取得しない。記録部７９は、取得部７８が取得した特定データＴを記録媒体Ｆに記録する。
【０１２０】
次に、実施の形態６の記録再生装置６００の動作を図１４を用いて説明する。図１４は、実施の形態６の記録再生装置６００の動作の各ステップを示すフローチャートである。
【０１２１】
今、記録媒体Ｆが挿入部７１に挿入されている状態を想定する。その状態で、ユーザが記録媒体Ｆに記録されている実体データｂについてのトラックマークｔを検出させることを受付部７２に指示すると（Ｓ７１）、検出部７３は、トラックマークｔを検出する（Ｓ７２）。
【０１２２】
そうすると、判断部７４は、トラックマークｔを個体として特定する特定データＴが記録媒体Ｆに記録されているか否かを判断する（Ｓ７３）。特定データＴが記録媒体Ｆに記録されていると判断部７４が判断した場合（Ｓ７３でＹｅｓ）、再生部７５は、実体データｂをトラックマークｔから再生する前に、記録媒体Ｆから特定データＴを取得して再生する（Ｓ７４）。これにより、特定データＴに対応する音が記録再生装置６００の外部に出力される。すなわち、記録再生装置６００は、トラックマークｔを個体として特定する情報を音により報知することができる。
【０１２３】
ところで、ステップＳ７３において、特定データＴが記録媒体Ｆに記録されていないと判断部７４が判断した場合（Ｓ７３でＮｏ）、要求部７６は、音及び画像を用いて特定データＴの記録をユーザに要求する（Ｓ７５）。選択部７７は、要求部７６が特定データＴの記録を要求した後に、特定データＴの記録を行うか否かの選択を受け付ける（Ｓ７６）。
【０１２４】
ユーザが特定データＴの記録を行うことを選択してその旨を選択部７７に指示し（Ｓ７６でＹｅｓ）、実体データｂのトラックマークｔ以降の内容等の、トラックマークｔを個体として特定する情報を声に出して言うと、取得部７８は、その音を取得し音のデータに変換して特定データＴを取得する（Ｓ７７）。記録部７９は、取得部７８が取得した特定データＴを記録媒体Ｆに記録する（Ｓ７８）。
【０１２５】
これにより、記録再生装置６００は、次回にトラックマークｔを検出させる指示をユーザから受け付けたとき、トラックマークｔを個体として特定する情報を装置の外部に音により報知することができる。
【０１２６】
なお、ステップＳ７６において、ユーザが特定データＴの記録を行わないことを選択してその旨を選択部７７に指示すると（Ｓ７６でＮｏ）、記録再生装置６００の動作は終了する。
【０１２７】
上述したように、実施の形態６の記録再生装置６００は、トラックマークｔを個体として特定する特定データＴが記録媒体Ｆに記録されていれば、トラックマークｔを検出させる指示をユーザから受け付けたとき、実体データｂをトラックマークｔから再生する前に、特定データＴを再生し、特定データＴに対応する音を装置の外部に出力する。これにより、ユーザは、トラックマークｔを検出させることを記録再生装置６００に指示するだけで、トラックマークｔを個体として特定する情報を音により知ることができる。
【０１２８】
また、記録再生装置６００は、特定データＴが記録媒体Ｆに記録されていなければ、特定データＴの記録をユーザに要求する。それに対してユーザが記録媒体Ｆを個体として特定する情報を声に出して言うと、ユーザは、次回にトラックマークｔを検出させることを受付部７２に指示すれば、トラックマークｔを個体として特定する情報を音により知ることができる。
【０１２９】
逆に、トラックマークｔを個体として特定する情報を報知させたくないと考える場合、特定データＴの記録が要求されても、ユーザは、特定データＴの記録を行わないことを選択してその旨を選択部７７に指示すればよい。
【０１３０】
なお、上述した実施の形態６では、記録再生装置６００は、トラックマークｔを検出させる指示をユーザから受け付けると、トラックマークｔを個体として特定する情報を装置の外部に音により報知する。その情報の報知の時は、トラックマークｔが検出された直後には限定されない。例えば、記録再生装置６００は、実体データｂの再生の終了後にその情報を報知してもよいし、トラックマークｔからの実体データｂの再生が所定の時間経過した後にその情報を報知してもよい。又は、トラックマークが複数存在する場合、記録再生装置６００は、特定データＴに関連付けられているトラックマークｔとその次のトラックマークとの間の実体データｂを再生しているときに、実体データｂの再生を停止して特定データＴを再生し、トラックマークｔを個体として特定する情報を報知してもよい。
【０１３１】
また、再生部７５は、受付部７２が記録媒体Ｆに記録されているトラックマークｔを検出させる指示を受け付けるとともに、トラックマークｔを個体として特定する情報を報知させる指示（特定データＴを再生するための指示）をもユーザから受け付けた場合、特定データＴを再生し、トラックマークｔを個体として特定する情報を装置の外部に音により報知してもよい。これにより、ユーザは、トラックマークｔを個体として特定する情報を報知させる時を自ら決定することができる。
【０１３２】
また、上述した実施の形態６では、ステップＳ７３において、特定データＴが記録媒体Ｆに記録されていないと判断部７４が判断し（Ｓ７３でＮｏ）、選択部７７が特定データＴの記録を行う指示を受け付けたとき（Ｓ７６でＹｅｓ）、取得部７８は、特定データＴを取得する（Ｓ７７）。しかしながら、受付部７２がトラックマークｔを付与することをユーザから指示された場合、要求部７６が、音及び画像を用いて特定データＴの記録をユーザに要求してもよい。その場合、選択部７７が特定データＴの記録を行うことをユーザにより指示されたとき、取得部７８が特定データＴを取得し、記録部７９が特定データＴを記録媒体Ｆに記録する。
【０１３３】
また、実体データｂと、トラックマークｔと、特定データＴとは、相互に異なるフォルダに格納された状態で記録媒体Ｆに記録されてもよい。その場合においても、実体データｂと、トラックマークｔと、特定データＴとは、テーブル等により相互に関連付けられて記録媒体Ｆに記録される。
【０１３４】
また、複数の実体データと、実体データ毎のトラックマークと、各トラックマークに対応する特定データとが、記録媒体Ｆに記録されていてもよい。例えば、図１５に示すように、ファイル名が「ＡＡＡＡ．ＭＰ３」である第１の実体データｂ１と、ファイル名が「ＢＢＢＢ．ＭＰ３」である第２の実体データｂ２とが記録媒体Ｆに記録されていてもよい。図１５は、第１の実体データｂ１と第２の実体データｂ２とが記録媒体Ｆに記録されている様子を模式的に示す図である。また、図１５の例では、第１の実体データｂ１にはトラックマークｔ１が付与されており、第２の実体データｂ２には、繰り返しの始点を示すトラックマークｔ２と終点を示すトラックマークｔ３とが付与されている。
【０１３５】
また、第１の実体データｂ１と第２の実体データｂ２とは、図１６に示すように、実体データフォルダＰに格納された状態で記録媒体Ｆに記録されていてもよい。図１６は、第１の実体データｂ１と第２の実体データｂ２とが実体データフォルダＰに格納されている状態を示す図である。第１の実体データｂ１のファイル名は、図１５と同様に「ＡＡＡＡ．ＭＰ３」であり、第２の実体データｂ２のファイル名も、図１５と同様に「ＢＢＢＢ．ＭＰ３」である。
【０１３６】
同様に、第１の実体データｂ１に付与されているトラックマークｔ１に対応する第１の特定データＴ１と、第２の実体データｂ２に付与されているトラックマークｔ２に対応する第２の特定データＴ２とは、図１７に示すように、特定データフォルダＱに格納された状態で記録媒体Ｆに記録されていてもよい。図１７は、第１の特定データＴ１と第２の特定データＴ２とが特定データフォルダＱに格納されている状態を示す図である。第１の特定データＴ１のファイル名は、「ＡＡＡＡ．ＸＸＸ」であり、第２の特定データＴ２のファイル名は、「ＢＢＢＢ．ＸＸＸ」である。
【０１３７】
この場合、トラックマークｔ１と第１の特定データＴ１とを対応付けるとともに、トラックマークｔ２と第２の特定データＴ２とを対応付けるテーブルＲが、記録媒体Ｆに記録される。図１８は、トラックマークと特定データとを対応付けるテーブルＲを示す図である。再生部７５は、テーブルＲを参照して適切な特定データを再生する。
【０１３８】
次に、実施の形態６の変形例として、三個の記録再生装置を順に説明する。
【０１３９】
（変形例１）
図１９は、変形例１の記録再生装置６０１の構成図である。変形例１の記録再生装置６０１は、図１９に示すように、上述した記録再生装置６００の各構成部に加えて、記録媒体８１を有する。
【０１４０】
記録媒体８１は、実体データｂと、実体データｂについてのトラックマークｔとが記録される固定型の媒体である。また、記録媒体８１には、トラックマークｔを個体として特定するデータ（特定データＴ）が記録される。実体データｂと、トラックマークｔと、特定データＴとは、相互に関連付けられて記録媒体８１に記録される。
【０１４１】
変形例１の記録再生装置６０１の各構成部は、以下に示すように動作する。ユーザが記録媒体８１に記録されているトラックマークｔを検出させることを受付部７２に指示すると、検出部７３は、トラックマークｔを検出する。そうすると、判断部７４は、特定データＴが記録媒体８１に記録されているか否かを判断する。特定データＴが記録媒体８１に記録されていると判断部７４が判断した場合、再生部７５は、実体データｂをトラックマークｔから再生する前に、記録媒体８１から特定データＴを取得して再生する。
【０１４２】
特定データＴが記録媒体８１に記録されていないと判断部７４が判断した場合、要求部７６は、音及び画像を用いて特定データＴの記録をユーザに要求する。選択部７７は、要求部７６が特定データＴの記録を要求した後に、特定データＴの記録を行うか否かの選択を受け付ける。ユーザが特定データＴの記録を行うことを選択してその旨を選択部７７に指示し、トラックマークｔを個体として特定する情報を声に出して言うと、取得部７８は、その音を取得し音のデータに変換して特定データＴを取得する。記録部７９は、取得部７８が取得した特定データＴを記録媒体８１に記録する。
【０１４３】
なお、要求部７６による要求に対し、ユーザが特定データＴの記録を行わないことを選択してその旨を選択部７７に指示すると、記録再生装置６０１の動作は終了する。
【０１４４】
また、再生部７５は、受付部７２が記録媒体８１に記録されているトラックマークｔを検出させる指示を受け付けるとともに、トラックマークｔを個体として特定する情報を報知させる指示（特定データＴを再生するための指示）をもユーザから受け付けた場合、特定データＴを再生してもよい。
【０１４５】
（変形例２）
図２０は、変形例２の記録再生装置６０２の構成図である。変形例２の記録再生装置６０２は、図２０に示すように、上述した記録再生装置６００の各構成部に加えて、記録媒体８２を有する。
【０１４６】
記録再生装置６０２の挿入部７１には、記録媒体Ｇが挿入される。記録媒体Ｇは、実体データｂと、トラックマークｔとが記録される可搬型の媒体である。記録媒体８２は、特定データＴが記録される。また、記録媒体８２には、トラックマークｔと特定データＴとを関連付けるテーブルが記録される。
【０１４７】
変形例２の記録再生装置６０２の各構成部は、以下に示すように動作する。ユーザが記録媒体Ｇに記録されているトラックマークｔを検出させることを受付部７２に指示すると、検出部７３は、トラックマークｔを検出する。そうすると、判断部７４は、特定データＴが記録媒体８２に記録されているか否かを判断する。特定データＴが記録媒体８２に記録されていると判断部７４が判断した場合、再生部７５は、実体データｂをトラックマークｔから再生する前に、記録媒体８２から特定データＴを取得して再生する。
【０１４８】
特定データＴが記録媒体８２に記録されていないと判断部７４が判断した場合、要求部７６は、音及び画像を用いて特定データＴの記録をユーザに要求する。選択部７７は、要求部７６が特定データＴの記録を要求した後に、特定データＴの記録を行うか否かの選択を受け付ける。ユーザが特定データＴの記録を行うことを選択してその旨を選択部７７に指示し、トラックマークｔを個体として特定する情報を声に出して言うと、取得部７８は、その音を取得し音のデータに変換して特定データＴを取得する。記録部７９は、取得部７８が取得した特定データＴを記録媒体８２に記録する。
【０１４９】
なお、要求部７６による要求に対し、ユーザが特定データＴの記録を行わないことを選択してその旨を選択部７７に指示すると、記録再生装置６０２の動作は終了する。
【０１５０】
また、再生部７５は、受付部７２が記録媒体Ｇに記録されているトラックマークｔを検出させる指示を受け付けるとともに、トラックマークｔを個体として特定する情報を報知させる指示（特定データＴを再生するための指示）をもユーザから受け付けた場合、特定データＴを再生してもよい。
【０１５１】
（変形例３）
図２１は、変形例３の記録再生装置６０３の構成図である。変形例３の記録再生装置６０３は、図２１に示すように、上述した記録再生装置６００の各構成部に加えて、記録媒体８３を有する。
【０１５２】
記録媒体８３は、実体データｂと、トラックマークｔとが記録される固定型の媒体である。記録再生装置６０３の挿入部７１には、記録媒体Ｈが挿入される。記録媒体Ｈは、特定データＴが記録される可搬型の媒体である。また、記録媒体Ｈには、トラックマークｔと特定データＴとを関連付けるテーブルが記録される。
【０１５３】
変形例３の記録再生装置６０３の各構成部は、以下に示すように動作する。ユーザが記録媒体８３に記録されているトラックマークｔを検出させることを受付部７２に指示すると、検出部７３は、トラックマークｔを検出する。そうすると、判断部７４は、特定データＴが記録媒体Ｈに記録されているか否かを判断する。特定データＴが記録媒体Ｈに記録されていると判断部７４が判断した場合、再生部７５は、実体データｂをトラックマークｔから再生する前に、記録媒体Ｈから特定データＴを取得して再生する。
【０１５４】
特定データＴが記録媒体Ｈに記録されていないと判断部７４が判断した場合、要求部７６は、音及び画像を用いて特定データＴの記録をユーザに要求する。選択部７７は、要求部７６が特定データＴの記録を要求した後に、特定データＴの記録を行うか否かの選択を受け付ける。ユーザが特定データＴの記録を行うことを選択してその旨を選択部７７に指示し、トラックマークｔを個体として特定する情報を声に出して言うと、取得部７８は、その音を取得し音のデータに変換して特定データＴを取得する。記録部７９は、取得部７８が取得した特定データＴを記録媒体Ｈに記録する。
【０１５５】
なお、要求部７６による要求に対し、ユーザが特定データＴの記録を行わないことを選択してその旨を選択部７７に指示すると、記録再生装置６０３の動作は終了する。
【０１５６】
また、再生部７５は、受付部７２が記録媒体８３に記録されているトラックマークｔを検出させる指示を受け付けるとともに、トラックマークｔを個体として特定する情報を報知させる指示（特定データＴを再生するための指示）をもユーザから受け付けた場合、特定データＴを再生してもよい。
【０１５７】
上述した変形例１から変形例３の各記録再生装置がもたらす効果は、上述した実施の形態６の記録再生装置６００がもたらす効果と同じである。
【０１５８】
なお、上述した各実施の形態では、再生及び記録の対象のデータが音のデータである場合を想定して説明したが、再生及び記録の対象のデータは、画像のデータであってもよい。画像には、動画及び静止画が含まれる。各実施形態において、装置、記録媒体、トラックマーク等を個体として特定するデータは、氏名やデータの説明等を表す内容のデータ以外の任意のデータでもよい。
【符号の説明】
【０１５９】
１００  実施の形態１の記録再生装置、  １  記録媒体、  ２  電源、  ３  切替部、  ４  検知部、  ５  判断部、  ６  再生部、  ７  要求部、  ８  選択部、  ９  取得部、  １０  記録部。
【図１】
2010282712.tif 000003
【図２】
2010282712.tif 000004
【図３】
2010282712.tif 000005
【図４】
2010282712.tif 000006
【図５】
2010282712.tif 000007
【図６】
2010282712.tif 000008
【図７】
2010282712.tif 000009
【図８】
2010282712.tif 000010
【図９】
2010282712.tif 000011
【図１０】
2010282712.tif 000012
【図１１】
2010282712.tif 000013
【図１２】
2010282712.tif 000014
【図１３】
2010282712.tif 000015
【図１４】
2010282712.tif 000016
【図１５】
2010282712.tif 000017
【図１６】
2010282712.tif 000018
【図１７】
2010282712.tif 000019
【図１８】
2010282712.tif 000020
【図１９】
2010282712.tif 000021
【図２０】
2010282712.tif 000022
【図２１】
2010282712.tif 000023